(57)【要約】      （修正有）【課題】強力な接着力を有し、かつ身体からの分泌物の水分と接触しても、接着力が減少しないような身体内分泌物取出用具による構成を提供する。【解決手段】身体の孔３１と連通する穴１３、及びその周囲表面に接着層を有しているシート１１状の身体接着部１と、当該身体接着部１に対し背後から固着され、前記穴１３を入口とする容器２を有し、前記接着層を構成する素材として、シリコン樹脂による接着剤１２を採用する。【選択図】図１
2005058485.tif 000002
【特許請求の範囲】
【請求項１】
身体の孔と連通する穴、及びその周囲表面に接着層を有しているシート状の身体    接着部と、当該身体接着部に対し背後から固着され、前記穴を入口とする容器を有している身体分泌物取出用具において、前記接着層を構成する素材として、シリコン樹脂による接着剤を採用することに基づく身体内分泌物取出用具。
【請求項２】
プラスチックシートに対し、シリコン樹脂による接着層を積層したことを特徴とする請求項１記載の身体内分泌物取出用具。
【請求項３】
接着性を有しているシリコン樹脂シート自体を身体接着部として使用することを特徴とする請求項１記載の身体内分泌物取出用具。
【請求項４】
接着剤として、シリコンジェルシートを選択したことを特徴とする請求項２記載の身体内分泌物取出用具。
【請求項５】
接着剤として、アミノアルキルシリコン樹脂による変性シリコン樹脂によるシリコンシートを選択したことを特徴とする請求項３記載の身体内分泌物取出用具。
【請求項６】
シリコン樹脂として、加硫シリコン樹脂を選択したことを特徴とする請求項１記載の身体内分泌物取出用具。
【請求項７】
加硫シリコン樹脂を、身体接着部と、容器との間の固着にも採用したことを特徴とする請求項６記載の身体内分泌物取出用具。
【発明の詳細な説明】
【技術分野】
【０００１】
本願発明は、人工肛門等の身体から分泌する物を、容器内に取り出す身体内分泌物取出用具に関するものである。
【背景技術】
【０００２】
身体分泌物取出用具は、身体から分泌物が浸出する孔と連通する穴及びその周囲表面に接着層を有しているシート状の身体接着部と、当該穴を入口とし、身体接着部に対し背後から固着されている容器とによって構成されている。
【０００３】
前記容器は、変形自在のプラスチックを素材としていることが多く、他方、接着層の素材としては、通常、皮膚を保護することを考慮し、ハイドロサイト等の皮膚用接着剤が使用されている。
【０００４】
しかしながら、従来採用されている接着層を構成する素材は、身体の分泌物が含有している水と接触した場合、接着性を早期に喪失し、このため、身体に対する接着機能を長期にわたって維持することが困難であった。
【０００５】
このような状況を反映し、従来技術による身体内分泌物取出用具の場合には、一日に２回ないし３回程度、交換することを余儀なくされていた。
【発明の開示】
【発明が解決しようとする課題】
【０００６】
本願発明は、前記の如き従来技術の状況を考慮し、身体からの分泌物に接触しても、接着機能を喪失せず、長期間維持することができるような身体内分泌物取出用具の構成を提供することを課題とするものである。
【課題を解決するための手段】
【０００７】
前記課題を解決するため、本願発明の構成は、身体の孔と連通する穴、及びその周囲表面に接着層を有しているシート状の身体    接着部と、当該身体接着部に対し背後から固着され、前記穴を入口とする容器を有している身体分泌物取出用具において、前記接着層を構成する素材として、シリコン樹脂による接着剤を採用することに基づく身体内分泌物取出用具からなる。
【発明の効果】
【０００８】
本願発明は、身体内分泌物取出用具において、シリコン樹脂固有による強固な接着力を発揮すると共に、接着部分が身体からの分泌物によって汚染されても、当該汚染部分を水洗することによって持続した使用が可能となり、従来技術の場合のような頻繁な交換は不要となる。
【発明を実施するための最良の形態】
【０００９】
前記解決手段の記載からも明らかなように、本願発明は、身体接着部において接着性を発揮する素材として、シリコン樹脂を採用することを特徴としているが、その背景として、シリコン樹脂を構成しているジメチルシロキサン基（−Ｓｉ−（ＣＨ３）２−Ｏ−）が強固な疎水性（親油性）を有しており、身体からの分泌物と接触しても、当該分泌物に含まれている水分を排除し、自ら有している接着機能を喪失しないことに由来している。
【００１０】
本願発明の実施形態としては、図１に示すように、プラスチックシート１１に対し、シリコンオイル等の接着性を有している素材を積層する構成、及び図２に示すように、接着性を有しているシリコンシート１１自体を身体接着部１として使用する構成の双方を採用することができる。
【００１１】
図１に示す実施形態としては、シリコン樹脂を加硫することによって得られた接着剤１２を、プラスチックシート１１に積層する構成が典型例であり、図２に示す実施形態としては、アミノアルキルシリコン樹脂による変性シリコン樹脂によるシート１１自体を、身体接着部１とする構成を挙げることができる。
【００１２】
本願のように、身体接着部の接着性素材としてシリコン樹脂を使用した場合には、たとえ当該接着部の表面部分が身体からの分泌物によって汚れたとしても、これを水洗によって除去した場合には、依然として接着性を有していることから、長期の使用が可能となり、従来技術の場合のような１日に２回ないし３回の交換を必要とするような不都合は生じていない。
【００１３】
特に、前記実施形態のように、加硫ゴムとしたシリコン樹脂を積層した場合、及びアミノアルキルシリコン樹脂による変性シリコン樹脂シート１１を使用した場合には、強力な接着作用を発揮することが可能となる。
【００１４】
加硫を行ったシリコン樹脂の場合には、図１に示すような積層構成だけでなく、図２に示すようなシリコン樹脂シート１１自体を、身体接着部１として接着する実施形態にも適用することが可能である。
【００１５】
しかも、身体接着部に加硫を行ったシリコン樹脂を使用する場合には、図１及び図２の各実施形態の何れにおいても、当該加硫シリコン樹脂の接着度を増加させたうえで、背後に位置している容器２との固着にも、当該加硫シリコン樹脂を使用することもできる。
【００１６】
以下、実施例について説明する。
【実施例】
【００１７】
実施例においては、図１に示す実施形態として、プラスチックシート１１に対し、シリコンジェルシートを接着剤１２を介して積層することによって、身体接着部１を構成している。
【００１８】
シリコンジェルシートは、人間の皮膚に対し、マイルドなタッチで接着が可能である一方、シリコン樹脂に基づく疎水性によって、身体からの分泌物の水分と接触しても、前記接着力に対する影響は殆ど無視することができる。
【００１９】
このため、身体からの分泌物と接触したシリコンジェルシートの表面を洗浄によって除去した場合には、少なくとも３日間接着作用を維持することが可能である。
【産業上の利用可能性】
【００２０】
本願発明は、人工肛門等の身体内分泌物取出用具という医療器具の分野において、利用し得る可能性を有している。
【図面の簡単な説明】
【００２１】
【図１】本願発明の実施形態を示しており、（ａ）は使用状態を示す断面図であり、（ｂ）は身体内分泌物取出用具自体の正面図である。尚（ｂ）の点線は、容器と身体接着部との固着部位を示す。
【図２】本願発明の実施形態を示しており、（ａ）は使用状態を示す断面図であり、（ｂ）は身体内分泌物取出用具自体の正面図である。尚（ｂ）の点線は、容器と身体接着部との固着部位を示す。
【符号の説明】
【００２２】
１  身体接着部
１１  シート
１２  接着剤
１３  穴
２  容器
３  身体の一部
３１  身体における孔
【図１】
2005058485.tif 000003
【図２】
2005058485.tif 000004